(57)【特許請求の範囲】
【請求項１】
各種の検知手段を通じて異常の有無を監視し、異常を検知したときにポーリングを要求する複数の端末機器と、
前記ポーリング要求を受けたとき、前記複数の端末機器が検知する異常の種類に対応して設定された複数のタイムスロットを設けてポーリングする制御装置とを備え、
前記複数の端末機器は、前記ポーリング要求によりポーリングを受けたとき、複数のタイムスロットの中から、検知した異常に対応するタイムスロットを選択して返送し、
前記制御装置は、前記ポーリングにより、前記複数の端末機器によるタイムスロットの選択から複数の異常を確認したときは、危険度の高い方の異常を優先的に選択して、該選択された異常を発した端末機器のみが応答できることで、その危険度の高い方の異常を発した端末機器を特定するポーリングを行い、このポーリングにより危険度の高い方の異常を発した端末機器を特定できたときは、その端末機器に対しセレクティングを行って、該危険度の高い方の異常の情報を優先的に収集することを特徴とする防災システム装置。
【請求項２】
前記異常として、火災系、コール系、故障系があり、かつ、火災系、コール系、故障系の順で危険度が高い異常であることを特徴とする請求項１記載の防災システム装置。
【発明の詳細な説明】
【０００１】
【発明の属する技術分野】
本発明は、熱感知器等を通して異常を検知したときポーリングを要求する端末機器を備えた防災システム装置に関するものである。
【０００２】
【従来の技術】
この種の防災システム装置として、制御装置が所定周期でポーリングし、そのポーリングにより異常を検知したときは、端末機器を特定するポーリングを行って異常の情報を収集するものがある。例えば、集合住宅の各住戸にそれぞれ設置された端末機器を複数にグループ化し、このグループ毎にポーリングを行って、それぞれのグループに返送タイミングを与える。このタイミングで応答があった場合は、応答したグループ内の端末機器毎に再びポーリングし、端末機器毎に返送タイミングを与える。このポーリングにより、異常を発した端末機器を特定できたときは、その端末機器から情報を収集し、その情報に応じて制御命令を送信する。
【０００３】
【発明が解決しようとする課題】
しかしながら、前述した従来の防災システム装置では、複数の異常がほぼ同時に発生しているときにポーリングを行った場合、タイミング的に最初に受信した異常に対して処理を行うようになり、そのため、異常の中に危険度の高い異常が発生していても先に受信した異常に対しての処理が終了するまで待機状態となってしまい、被害が拡大する恐れがあった。また、ポーリングは周期的に行われているため、電力の消費が大きくなっていた。
【０００４】
本発明は、かかる課題を解決するためになされたもので、ポーリングを周期的に行わなくても異常発生時にはその発生源を確実に特定して対処し、しかも、複数の異常がほぼ同時に発生していた場合には危険度の高い方の異常を優先的に選択して処理する防災システム装置を提供することを目的とする。
【０００５】
【課題を解決するための手段】
本発明に係る防災システム装置は、各種の検知手段を通じて異常の有無を監視し、異常を検知したときにポーリングを要求する複数の端末機器と、ポーリング要求を受けたとき、複数の端末機器が検知する異常の種類に対応して設定された複数のタイムスロットを設けてポーリングする制御装置とを備え、複数の端末機器は、ポーリング要求によりポーリングを受けたとき、複数のタイムスロットの中から、検知した異常に対応するタイムスロットを選択して返送し、制御装置は、前記ポーリングにより、複数の端末機器によるタイムスロットの選択から複数の異常を確認したときは、危険度の高い方の異常を優先的に選択して、その選択された異常を発した端末機器のみが応答できることで、その危険度の高い方の異常を発した端末機器を特定するポーリングを行い、このポーリングにより危険度の高い方の異常を発した端末機器を特定できたときは、その端末機器に対しセレクティングを行って、その危険度の高い方の異常の情報を優先的に収集する。
【０００６】
前記異常として、火災系、コール系、故障系があり、かつ、火災系、コール系、故障系の順で危険度が高い異常である。
【０００８】
【発明の実施の形態】
図１は本発明の実施形態に係る防災システム装置の構成を示すブロック図、図２は緊急ポーリング及び階ポーリングのフォーマットを示す図、図３は号室ポーリングのフォーマットを示す図である。
図において、１は例えば集合住宅の管理室に設置された制御装置で、マイクロコンピュータ（以下、「マイコン」という）２と、電流を制御し直流電源24Ｖを出力する電流制御回路３と、マイコン２からのデジタル信号をパルス（データ）に変換し（ハイレベル：24Ｖ、ローレベル：０Ｖ）、後述する端末機器に制御路２１を介して送信する送信回路４と、制御路２１を介して受信されたパルスをデジタル信号に変換しマイコン２に出力する受信回路５とを備えている。
【０００９】
１１は各居室に設置された端末機器で、マイコン１２と、制御路２１を介して受信されたパルスをデジタル信号に変換しマイコン１２に出力する受信回路１３と、マイコン１２からのデジタル信号をパルスに変換し、制御装置１に制御路２１を介して送信する送信回路１４とを備え、本機器１１には、図示していないが、ドアホン、熱感知器、ガス漏れ検知器、防犯センサ、水漏れセンサ、コールボタン等が接続されており、図示せぬ集合玄関機とは制御装置１を介して接続されている。
【００１０】
前述した制御装置１のマイコン２は、電源が立ち上がったとき初期設定し、その後、後述する緊急ポーリングの処理に入る。この時の緊急ポーリングは、各居室の端末機器１１の状態を監視するためで、異常が確認されなかったときは各端末機器１１に端末イベント許可を出す。この許可は、異常を検知したときに緊急ポーリング要求を出してもよいという各端末機器１１への許可である。
【００１１】
端末イベント許可を出した後は、端末機器等からのデータの受信があるかどうかを判定し、データ受信を検知したときは緊急ポーリング要求のデータかどうかを判定し、緊急ポーリング要求の場合は緊急ポーリングの処理に入り、受信データに異常があると判断したときは前記と同様に緊急ポーリングの処理に入る。また、受信データが通話の呼出によるものであるときは送信元と受信先とを接続する制御に入る。
【００１２】
受信データがないときは、所定時間経過（例えば１分）するまでそのデータ受信の有無を繰り返し判定し、所定時間経過したときは端末存在／不存在のポーリングを行う。このポーリングは、各階毎に行い、端末機器１１が故障しているかどうかを監視するためである。終了時には各端末機器１１に対して再び端末イベント許可を出して、データの受信があるかどうかの判定に入る。
【００１３】
緊急ポーリングを行うときは、まず受信回路５を通じて制御路２１をセンシングし、送信可能時間内で送信可能なとき、即ち制御路２１が他の端末機器等により使用されていないときは、予め分けられたグループ毎にポーリングする。例えば６４階建ての集合住宅の場合は、１階〜３２階と３３階〜６４階とに対して行われる。このポーリングは、図２（ａ）に示すようなフォーマットからなり、最初のポーリングには、１階〜１６階と１７階〜３２階とにそれぞれタイムスロット（火災系、コール系、故障系）が設定され、次のポーリングには、３３階〜４８階と４９階〜６４階とにそれぞれタイムスロットが設定されている。
【００１４】
このポーリングにより異常内容を示すデータが受信されたときは、その受信データのタイムスロットから階グループ（１階〜１６階、１７階〜３２階、３３階〜４８階及び４９階〜６４階の何れか一つ）を判別すると共に、受信データから火災系、コール系又は故障系の何れかを特定する。故障系を確認したときは、それを発した端末機器１１が応答できるように故障関係の階ポーリングを行い、コール系を確認したときはコール関係の階ポーリングを行い、火災系の場合には、それを発した端末機器１１が応答できるように火災関係の階ポーリングを行う。また、受信データから火災系とコール系を確認したときは、危険度の高い火災系を選択して火災関係の階ポーリングを行い、コール系と故障系を確認したときは、故障系より危険度の高いコール系を選択してコール関係の階ポーリングを行う。
【００１５】
この階ポーリングは、例えば、図２（ｂ）に示すようなフォーマットからなり、異常内容を通知した端末機器１１が階を通知できるようタイムスロット（８階分）がそれぞれ設定されている。グループ毎に行った緊急ポーリングにより、例えば１７階〜３２階の階グループを特定した場合は、まず１７階〜２４階の階グループに対して階ポーリング（火災、コール又は故障関係）を行い、このポーリングによりデータの受信がないときは次の階グループの２５階〜３２階に対して階ポーリングする。
【００１６】
この階ポーリングによりデータが受信されたときは、その受信データのタイムスロットから階を判別して、その階に対して号室ポーリングを行う。この場合、階ポーリングが火災関係であったときはそれに引き続いて火災関係の号室ポーリングで行い、コール関係のときはその関係の号室ポーリングで行い、故障関係のときはその関係の号室ポーリングで行う。この号室ポーリングは、例えば、図３に示すようなフォーマットからなり、階を通知した端末機器１１が号室を通知できるようタイムスロット（８号室分）がそれぞれ設定されている。階ポーリングにより例えば１８階を特定した場合は、まず1801号室〜1808号室に対して号室ポーリングを行い、このポーリングによりデータの受信がないときは、次の８号室分に対して号室ポーリングを行う。
【００１７】
この号室ポーリングによりデータが受信されたときは、その受信データのタイムスロットから居室の端末機器１１を特定し、その端末機器１１との間でセレクティングを行って異常内容の情報を収集する。
【００１８】
端末機器１１のマイコン１２は、初期設定後、制御装置１からの端末イベント許可が受信されたかどうかを判定し、その許可を受信したときは呼出操作があるかどうかの判定に入る。呼出操作があったときは、受信回路１３を通じて制御路２１をセンシングして送信可能なときその呼出信号を送信し、不可能なときは呼出操作を再び待つ。
【００１９】
緊急ポーリングの要求を行うときは、まず制御路２１をセンシングし、送信可能時間内で送信可能なときその要求を制御装置１に出す。この要求により緊急ポーリングのデータが受信されたときは、異常内容に応じてタイムスロットを選択して通知し、階ポーリングのデータが受信されたときは、該当するタイムスロットで階を知らせるデータを返送し、号室ポーリングのデータが受信されたときは、所定のタイムスロットで号室を知らせるデータを返送し、この号室ポーリングによりセレクティングが行われたときは異常内容の情報を通知する。
【００２０】
火災系の作動とは、熱感知器又はガス漏れ検知器が作動したとき、或いはこれらを試験したときの作動であり、また、コール系の作動とは、防犯センサや水漏れセンサが作動したとき、或いはトイレやバスルームに設置されたコールボタンがオンされたときの作動であり、故障系の作動とは、熱感知器・ガス漏れ検知器の故障検知によるものや、コールボタンとの間の電線の断線検知によるものである。
【００２１】
次に、本実施形態における端末機器及び制御装置の動作を説明する。図４、図５及び図６は制御装置の動作を示すフローチャート、図７及び図８は端末機器の動作を示すフローチャート、図９は緊急ポーリングによるデータ送受信のタイミングチャートである。
なお、端末機器１１は、検知した異常（火災系、コール系又は故障系）に応じてそれぞれ緊急ポーリングを要求して動作するが、その動作が同じであるため図８のフローチャートを共用して説明する。また、制御装置１は、緊急ポーリングの要求に応じて火災関係、コール関係又は故障関係の緊急ポーリングの処理を行うが、その処理の動作が同じであるため図６のフローチャートを共用して説明する。
【００２２】
制御装置１は、初期設定が終了すると（ステップ（Ｓ）１）、緊急ポーリングの処理に入る（Ｓ２）。まず、送信可能時間の測定を開始してその時間内までに送信可能かどうかを制御路２１をセンシングして判定する（Ｓ１１〜Ｓ１３）。送信可能時間を経過しても送信できないとき、即ち制御路２１が使用されているときは測定時間をクリアして再び時間の測定を開始し（Ｓ２２，Ｓ１１）、送信可能かどうかの判定に入る（Ｓ１２，Ｓ１３）。
【００２３】
ここで、送信可能時間内に送信できることをセンシングを通じて検知したときは、１階〜３２階を一グループとして、３３階〜６４階を別のグループとして緊急ポーリングのデータをそれぞれ送信する（Ｓ１４）。この時、１階〜３２階に対しては１階〜１６階と１７階〜３２階にそれぞれタイムスロットを設定し、３３階〜６４階に対しては３３階〜４８階と４９階〜６４階にそれぞれタイムスロットを設定する。
【００２４】
この緊急ポーリングを行った際、待機時間の測定を開始して、タイムアップするまで待機する（Ｓ１５，Ｓ１６）。その時間がタイムアップしたときは、測定時間をクリアして、端末機器１１からのデータ受信があったかどうかを判定する（Ｓ１７，Ｓ１８）。データの受信を検知したときは、そのデータのタイムスロットから火災系か、コール系か、又は故障系かを順次に判別するが（Ｓ１９〜Ｓ２１）、データの受信を検知できなかったときは、この緊急ポーリングの処理を終了して全居室の端末機器１１に対し端末イベント許可を出す（Ｓ３）。
【００２５】
そして、受信データがあるかどうかを判定し（Ｓ４）、受信データがないときは、所定時間経過（例えば１分）するまでそのデータ受信の有無を繰り返し判定し（Ｓ４，Ｓ５）、所定時間経過したときは端末存在／不存在のポーリングを行い（Ｓ６）、終了時には再び端末イベント許可を出して受信データの有無の判定に入る（Ｓ３，Ｓ４）。
【００２６】
一方、各居室の端末機器１１は、初期設定終了後に端末イベント許可が受信されると（図７のＳ５１，Ｓ５２）、呼出操作があったかどうかを判定する（Ｓ５３）。呼出操作を検知したときは、送信可能時間の測定を開始し（Ｓ５７）、タイムアップしたかどうかを判定する（Ｓ５８）。この時点では即座に制御路２１のセンシングに入って送信可能かどうか、即ち制御路２１が他の端末機器等により使用されているかいないかを判定する（Ｓ５９）。送信不可能な状態、即ち制御路２１が他の端末機器等により使用されている状態が送信可能時間の間継続したときは呼出操作による信号送信を中止すると共に、測定時間をクリアして再び呼出操作の判定に入る（Ｓ６２，Ｓ５３）。
【００２７】
また、送信可能時間を経過する前に送信が可能であることを検知したときは呼出信号を送信し（Ｓ６０）、これにより、図示せぬ通話路で送受信が行われたかどうかを判定する（Ｓ６１）。送受信が行われないときは送信可能時間を経過したかどうかの判定に入るが（Ｓ５８）、送受信が行われたときはその状態を保持しながら呼出操作の有無の判定に入る（Ｓ５３）。
【００２８】
呼出操作がないときは、火災系、コール系又は故障系が作動したかどうかを順次に判定する（Ｓ５４〜Ｓ５６）。何れも作動していないときは呼出操作の有無の判定に入り（Ｓ５３）、呼出操作がない間は、この動作を繰り返し行う。この状態は各居室において異常が発生していない状態である。
【００２９】
また、呼出操作がないときに例えばコール系と故障系を同時に検知したときは、危険度の高いコール系を選択して（Ｓ５５）、緊急ポーリングを要求するために送信可能時間の測定を開始する（Ｓ７１）。この時はその時間がタイムアップしたかどうかの判定に入るものの即座に制御路２１をセンシングして緊急ポーリング要求の送信が可能かどうかを判定する（Ｓ７２，Ｓ７３）。
【００３０】
送信不可能な状態が送信可能時間の間継続したときは測定時間をクリアして、火災系が作動状態かどうかの判定に入るが（Ｓ８３，Ｓ５４）、送信可能時間を経過する前に送信が可能であることを検知したときは、図９（ａ）に示すように緊急ポーリング要求を制御装置１に送信して、緊急ポーリングのデータ受信を待つ（Ｓ７４、Ｓ７５）。
【００３１】
一方、制御装置１は、データの受信を検知すると緊急ポーリング要求かどうかを判定し（図４のＳ７）、そのデータが緊急ポーリング要求であることを確認したときは緊急ポーリングの処理に入る（Ｓ９）。なお、ここで、緊急ポーリング要求でないと判定した場合には、受信データに異常があるかどうかを判定し（Ｓ８）、受信データに異常があると判断したときは、前記と同様に緊急ポーリングの処理に入る（Ｓ９）。また、Ｓ８において受信データに異常がないと判断したときは所定時間経過（例えば１分）するまでその受信データの有無の判定を繰り返す動作を行う（Ｓ４，Ｓ５）。
【００３２】
緊急ポーリングの処理に入った場合には（Ｓ９）、まず、前記と同様に送信可能時間の測定を開始してその時間内までに送信可能かどうかを制御路２１をセンシングする（Ｓ１１〜Ｓ１３）。送信できなかったときは測定時間をクリアして再び時間の測定を開始し（Ｓ２２，Ｓ１１）、送信可能かどうかの判定に入るが（Ｓ１２，Ｓ１３）、送信できることをセンシングを通じて検知したときは、前述したように１階〜３２階を一グループとして、３３階〜６４階を別のグループとして緊急ポーリングのデータをそれぞれ送信する（Ｓ１４）。このデータを送信した際、１階〜３２階に対しては１階〜１６階と１７階〜３２階にそれぞれタイムスロットを設定し、３３階〜６４階に対しては３３階〜４８階と４９階〜６４階にそれぞれタイムスロットを設定する（図９（ａ）参照）。この緊急ポーリングを行った際、待機時間の測定を開始して、タイムアップするまで待機する（Ｓ１５，Ｓ１６）。
【００３３】
この時、緊急ポーリングを要求した端末機器１１は、緊急ポーリングのデータを受信する（図８のＳ７５）。そして、図９（ａ）に示すようにそのデータの中の命令に応答して所定のタイムスロットでコール系検知の旨を通知し（Ｓ７６）、コール関係の階ポーリングのデータ受信を待つ（Ｓ７７）。ここで、例えば１７階〜３２階の何れかの居室の端末機器１１が火災系を検知していた場合、同図（ａ）に示すように火災系検知の通知を所定のタイムスロットで返送する。
【００３４】
一方、制御装置１は、待機時間がタイムアップしたかどうかを判定しており（図５のＳ１６）、その時間がタイムアップしたとき測定時間をクリアして受信データがあるかどうかを判定する（Ｓ１７，Ｓ１８）。受信データがないときは、前述したように緊急ポーリングの処理を終了して全居室の端末機器１１に端末イベント許可を出すが（Ｓ３）、データの受信を検知したときは、そのデータのタイムスロットから火災系が存在するかどうかを判別すると共に、図示していないが階グループを判別する。この場合、コール系と火災系であるが危険度の高い火災系を選択し（Ｓ１９）、かつ、１７階〜３２階の階グループを判別する。
【００３５】
そして、図９（ｂ）に示すように緊急ポーリングの場合と同様に、まず最初に１７階〜２４階の階グループに火災関係の階ポーリングのデータを送信する（Ｓ３１）。この時、各端末機器１１から階を通知するデータが受信されないときは、階グループ終了かどうかを判定し（Ｓ３２，Ｓ３３）、終了のときは全居室の端末機器１１に端末イベント許可を出すが（Ｓ４１）、終了していないときは、図９（ｂ）に示すように次の階グループ２５階〜３２階を選択して火災関係の階ポーリングのデータを送信する（Ｓ３４，Ｓ３１）。そして、前記と同様に受信データがあるかどうかを判定する（Ｓ３２）。
【００３６】
火災系検知を通知した端末機器１１は、火災関係の階ポーリングのデータを受信する（Ｓ７７）。そして、図９（ｂ）に示すように階を知らせるために所定のタイムスロットでデータを制御装置１に送信し（Ｓ７８）、火災関係の号室ポーリングのデータ受信を待つ（Ｓ７９）。なお、緊急ポーリングを要求した端末機器１１は、コール系検知であるため、火災関係の階ポーリングが送信されても取り込むことなくコール関係の階ポーリングが送信されるまで待機する。
【００３７】
制御装置１は、前記端末機器１１からのデータの受信を検知すると（Ｓ３２）、そのデータのタイムスロットから１８階を確認し、図９（ｃ）に示すようにその１８階の最初の居室グループ（1801号室〜1808号室）の各端末機器１１に対して火災関係の号室ポーリングのデータを送信する（Ｓ３５）。この時、各端末機器１１から居室番号を知らせるためのデータが受信されたかどうかを判定し（Ｓ３６）。受信データを検知したときはセレクティングに入るが（Ｓ３９）、受信データがないときは、１８階の居室グループ終了かどうかを判定する（Ｓ３７）。居室グループが終了しているときは全居室の端末機器１１に端末イベント許可を出して（Ｓ４１）、図４のＳ４に戻るが、居室グループが存在するときは次の居室グループ（1809号室〜1816号室）を選択して各端末機器１１に対し火災関係の号室ポーリングのデータを送信し（Ｓ３８，Ｓ３５）、前記と同様にデータの受信があるかどうかを判定する（Ｓ３６）。
【００３８】
この時、火災系を検知した端末機器１１は、火災関係の号室ポーリングのデータを受信する（Ｓ７９）。そして、図９（ｃ）に示すように居室番号を知らせるために所定のタイムスロットでデータを制御装置１に送信し（Ｓ８０）、制御装置１からのセレクティングを待つ（Ｓ８１）。
【００３９】
制御装置１は、火災関係の号室ポーリングによるデータ受信を検知すると（Ｓ３６）、そのデータのタイムスロットから居室番号を判別して特定し、その居室の端末機器１１に対しセレクティングを行い（Ｓ３９）、特定した端末機器１１からの情報を待つ（Ｓ４０）。
【００４０】
特定された端末機器１１は、制御装置１によってセレクティングが行われると（Ｓ８１）、それに応答して例えば熱感知器が作動した旨の情報を制御装置１に通知する（Ｓ８２）。
【００４１】
この時、制御装置１は、前述の如く情報が受信されたかどうかを判定しており（Ｓ４０）、情報が受信されたときは、その情報から異常内容を判別する。この場合は火災発生を認識して、図示していないが、特定した居室、両隣の居室及び直上階の居室の各端末機器１１を通じて火災発生の旨を例えば音声で伝達させるると共に、ベルを鳴動して全居室の住民に知らせる。そして、図４のＳ４に戻って端末機器１１からのデータ受信の有無の判定に入る。
【００４２】
以上のように本実施形態においては、端末機器１１は、予め定められた危険度の高い順の火災系、コール系及び故障系を順番に監視し、複数の系の作動を同時に検知したときは危険度の高い方の系を選択して緊急ポーリングを要求し、制御装置１は、緊急ポーリングの要求を受けたときにポーリングして火災系、コール系及び故障系の何れかを判別し、このポーリングにより複数の系を検知したときは危険度の高い方を優先的に選択して、その系を発した端末機器１１を特定するポーリングを行い、このポーリングにより端末機器を特定できたときは異常内容の情報を収集するセレクティングを行うようにしたので、複数の異常が同時に発生しても危険度の高い方から処理でき、このため、被害を最小限に抑えることができ、また、端末機器が異常を検知したとき緊急ポーリングの要求を行うようにしているので、ポーリングによる電力消費を抑えることができるという効果がある。
【００４３】
なお、本実施形態では、異常を火災系、コール系、故障系の３種に分けて説明したが、これに限定されることなく例えば危険度の高い順から火災系、コール系、防犯系、故障系というように４種或いはそれ以上に細分化してもよい。
【００４４】
【発明の効果】
以上のように本発明によれば、複数の端末機器が、各種の検知手段を通じて異常を検知したときポーリングを要求し、制御装置は、ポーリング要求を受けたとき、複数の端末機器が検知する各種の異常に対応して設定された複数のタイムスロットを設けてポーリングし、複数の端末機器は、ポーリング要求によりポーリングを受けたとき、複数のタイムスロットの中から、検知した異常に対応するタイムスロットを選択して返送し、制御装置は、前記ポーリングにより、複数の端末機器によるタイムスロットの選択から複数の異常を確認したときは、危険度の高い方の異常を優先的に選択して、その選択された異常を発した端末機器のみが応答できることで、その危険度の高い方の異常を発した端末機器を特定するポーリングを行い、このポーリングにより危険度の高い方の異常を発した端末機器を特定できたときは、その端末機器に対しセレクティングを行って、その危険度の高い方の異常の情報を優先的に収集するようにしたので、複数の異常が同時に発生しても危険度の高い方から処理でき、このため、被害を最小限に抑えることができる。
また、複数の端末機器が異常を検知したときにポーリングの要求を行うようにしているので、制御装置から周期的に行われていた異常確認のためのポーリングが不要になり、従来と比べ電力消費を抑えることができる。また、複数の端末機器は、ポーリング要求によりポーリングを受けたとき、複数のタイムスロットの中から、検知した異常と同一のタイムスロットを選択して返送するようにしているので、制御装置側においては、異常内容の判別を正確に行え、このため、複数の異常を検知したときには危険度の高い方を確実に選択して対処できるという効果がある。
【図面の簡単な説明】
【図１】本発明の実施形態に係る防災システム装置の構成を示すブロック図である。
【図２】緊急ポーリング及び階ポーリングのフォーマットを示す図である。
【図３】号室ポーリングのフォーマットを示す図である。
【図４】制御装置の動作を示すフローチャートである。
【図５】図４に続くフローチャートである。
【図６】図６に続くフローチャートである。
【図７】端末機器の動作を示すフローチャートである。
【図８】図７に続くフローチャートである。
【図９】緊急ポーリングによるデータ送受信のタイミングチャートである。
【符号の説明】
１  制御装置
２  マイコン
３  電流制御回路
４  送信回路
５  受信回路
１１  端末機器
１２  マイコン
１３  受信回路
１４  送信回路
２１  制御路
【図１】
0003925592.tif 000002
【図２】
0003925592.tif 000003
【図３】
0003925592.tif 000004
【図４】
0003925592.tif 000005
【図５】
0003925592.tif 000006
【図６】
0003925592.tif 000007
【図７】
0003925592.tif 000008
【図８】
0003925592.tif 000009
【図９】
0003925592.tif 000010